(57)【要約】      （修正有）【課題】ねじ込み時及びねじ抜き時に確実にねじを保持できるようにしたドライバー用ねじ保持具を提供する。【解決手段】ドライバ−軸１０の軸先端にねじの頭部と係合してその回転を規制するビット１０Ａが形成され、筒状ホルダー１２にはドライバー軸のビットが後端から挿入され、先端の内縁には挿入されたねじの頭部を弾性をもって抜け止めする複数の抜止め突片１２Ａが中央に向けて延び、ドライバー軸を後方に引っ張ることによって抜止め突片が弾性変形しながらねじの頭部がビットから離脱可能である。筒状ホルダーの後端には抜止めキャップ１４が嵌め込まれ、中央開口からドライバー軸が突出され、ドライバー軸は後方に抜け止めされ、ドライバー軸のビット外周にガイド筒１１が嵌め込まれ、ガイド筒にばね部材１３が外装され、ドライバー軸を後方に付勢するようになっている。【選択図】図２
0003190814.tif 000002
【実用新案登録請求の範囲】
【請求項１】
軸先端にはねじ（２０）の頭部（２１）の回転を規制するビット（１０Ａ）が形成され、該ビット（１０Ａ）はねじ（２０）の頭部（２１）と係合してその回転を規制するようになっているドライバ−軸（１０）と、
筒状をなし、上記ドライバー軸（１０）のビット（１０Ａ）が後端から挿入され、先端から上記ねじ（２０）の頭部（２１）が差し込まれ、該先端の内縁には上記挿入されたねじ（２０）の頭部（２１）を弾性をもって抜け止めする複数の抜止め突片（１２Ａ）が中央に向けて延びて形成されている一方、上記ドライバー軸（１０）を後方に引っ張ることによって上記抜止め突片（１２Ａ）が弾性変形しながら上記ねじ（２０）の頭部（２１）が上記ビット（１０Ａ）から離脱可能である筒状ホルダー（１２）と、
該筒状ホルダー（１２）の後端に嵌め込まれ、中央開口から上記ドライバー軸（１０）が突出されるとともに、上記ドライバー軸（１０）を後方に抜け止めする抜止めキャップ（１４）と、
上記ドライバー軸（１０）のビット（１０Ａ）外周に嵌め込まれたガイド筒（１１）と、
該ガイド筒（１１）に外装され、上記筒状ホルダー（１２）の先端内縁と上記ガイド筒（１１）の後端突部（１１Ａ）との間に縮装され、上記ドライバー軸（１０）を後方に付勢するばね部材（１３）と、
を備えたことを特徴とするドライバ−用ねじ保持具。
【請求項２】
上記筒状ホルダー（１２）先端縁には複数の突起（１２Ｄ）が間隔をあけかつ前方に突出して形成されており、上記筒状ホルダー（１２）の先端縁とねじ込み対象との間にはスペースが形成され、ドライバー軸（１０）を押し込んでねじ（２０）をねじ込み対象にねじ込んだときにねじ（２０）の頭部（２１）による抜止め突片（１２Ａ）の前方への弾性変形が許容されるとともに、ドライバー軸（１０）をねじ込まれたねじ（２０）の頭部（２１）に向けて押し込んだときに抜止め突片（１２Ａ）が前方に弾性変形されてビット（１０Ａ）とねじ（２０）の頭部（２１）との係合が許容されるようになっている請求項１記載のドライバ−用ねじ保持具。
【請求項３】
上記ビット（１０Ａ）には凹部（１０Ｂ）が形成され、上記ねじ（２０）の頭部（２１）は上記ビット（１０Ａ）の凹部（１０Ｂ）に嵌まり込む形状である請求項１記載のドライバ−用ねじ保持具。
【請求項４】
上記ビット（１０Ａ）の凹部（１０Ｂ）が六角凹状であり、上記ねじ（２０）の頭部（２１）が六角頭部である請求項２記載のドライバ−用ねじ保持具。
【請求項５】
上記ビット（１０Ａ）の凹部（１０Ｂ）が半球状であり、内底面にクロスヘッドが形成され、上記ねじ（２０）の頭部（２１）が半球状をなし、頂面に＋状の溝が形成されている請求項２記載のドライバ−用ねじ保持具。
【考案の詳細な説明】
【技術分野】
【０００１】
本考案はドライバ−用ねじ保持具に関し、特にねじ込み時やねじ抜き時には確実に安定にねじを保持できるようにしたねじ保持具に関する。
【背景技術】
【０００２】
ドライバ−を用いてねじをねじ込む場合、指でねじを押さえておかないと、ねじの位置やねじ込む方向に狂いが生じて正確にねじ込むことが難しいことから、指で押さえることなくねじを保持できるようにした種々のねじ保持具が提案されている。
【０００３】
例えば、ビットを磁化してねじを磁着させて保持するようにした保持具があるが、磁力が弱い場合や磁着しないねじについては保持できない。
【０００４】
これに対し、ビットに軟質チューブを外嵌し、ねじの頭部を抱え込むことによって、ねじを保持するようにした保持具が提案されているが（特許文献１）、軟質チューブを拡げながらねじをビットに装着する必要があって、ねじの装着作業に時間を要し、多数のねじを連続して着脱するには不向きである。
【０００５】
また、ドライバ−軸に筒状の抱持体を前方に付勢して設け、抱持体には爪体を形成し、抱持体を前方にスライドさせ、ねじの頭部を爪体によって挟み込むことによって、ねじを保持するようにした保持具が提案されているが（特許文献２）、抱持体を使用しないときには抱持体を簡単に外すことができず、ねじの着脱に邪魔になる。
【０００６】
他方、ドライバー軸のビットに筒状ホルダーと筒状チャックを二重に外装し、筒状ホルダーの先端部にスリットを間隔をあけて形成するとともに、周方向の一方部分を縮径し、筒状チャックの先端部には爪を内方に折曲げ形成し、ねじの頭部を筒状チャックに差し込み、筒状ホルダーの縮径部分で筒状チャックを締付け、筒状チャックの爪でねじの頭部を抱持し、筒状ホルダーと筒状チャックとの間の摩擦によってねじの抱持状態に保持する一方、筒状ホルダーを相対的に逆回転させることによって筒状チャックの締付けを開放し、ねじを外すようにした保持具が提案されている（特許文献３）。
【先行技術文献】
【特許文献】
【０００７】
【特許文献１】実開平０５−００５３６６号公報
【特許文献２】実開平０５−０３９８６８号公報
【特許文献３】実用新案登録第３１３１５７７号公報
【考案の開示】
【考案が解決しようとする課題】
【０００８】
特許文献３記載のねじ保持具では特許文献１、２記載のねじ保持具のような不具合は解消されているものの、筒状ホルダーの縮径部分によって筒状チャックを締め付けて筒状チャックを締付け、両者の間の摩擦力によってねじの保持力を維持しているので、ねじを抜くときには使用できず、又筒状ホルダーの内面や筒状チャックの外面が磨滅すると、ねじを確実に保持できなくなる。
【０００９】
本考案はかかる問題点に鑑み、ねじ込み時やねじ抜き時にねじを確実にかつ安定に保持できるようにしたドライバ−用ねじ保持具を提供することを課題とする。
【課題を解決するための手段】
【００１０】
本考案に係るドライバ−用ねじ保持具は、軸先端にはねじの頭部の回転を規制するビットが形成され、該ビットはねじの頭部と係合してその回転を規制するようになっているドライバ−軸と、筒状をなし、上記ドライバー軸のビットが後端から挿入され、先端から上記ねじの頭部が差し込まれ、該先端の内縁には上記挿入されたねじの頭部を弾性をもって抜け止めする複数の抜止め突片が中央に向けて延びて形成されている一方、上記ドライバー軸を後方に引っ張ることによって上記抜止め突片が弾性変形しながら上記ねじの頭部が上記ビットから離脱可能である筒状ホルダーと、該筒状ホルダーの後端に嵌め込まれ、中央開口から上記ドライバー軸が突出されるとともに、上記ドライバー軸を後方に抜け止めする抜止めキャップと、上記ドライバー軸のビット外周に嵌め込まれたガイド筒と、該ガイド筒に外装され、上記筒状ホルダーの先端内縁と上記ガイド筒の後端突部との間に縮装され、上記ドライバー軸を後方に付勢するばね部材と、を備えたことを特徴とする。
【００１１】
本考案の特徴の１つは筒状ホルダーの先端に弾性変形可能な複数の抜止め突片を中央に向けて延設し、ねじの頭部を筒状ホルダーの先端から差し込み、抜止め突片によって弾性をもって前方に抜け止めし、ビットと筒状ホルダーとによってねじを保持するようにした点にある。
【００１２】
これによってねじを確実に保持でき、しかも抜止め突片が折損しないかぎりねじを保持する性能が劣化することがないので、長期にわったて確実にねじを保持できる。
【００１３】
ねじをビットから抜く場合、ドライバー軸をそのまま後方に引っ張ると、筒状ホルダーの抜止め突片を弾性変形させながら、ねじの頭部をビットから引き抜くことができる。
【００１４】
筒状ホルダーの先端をねじ込み対象に接触させると、ねじをねじ込んだときにねじの頭部とねじ込み対象との間に抜止め突片が挟まれてしまう。また、ねじを抜く場合に抜止め突片が邪魔になってねじの頭部をビットに係合させることができないおそれがある。そこで、保持具のないドライバー軸を別途用意し、ねじ込みの最終段階にドライバー軸を交換してねじを最後までねじ込み、ねじを抜く際には別のドライバー軸でねじを少し弛めてねじ頭部とねじ込み対象との間に隙間を形成してから保持具をセットするようにしてもよいが、操作が煩雑になるおそれがある。
【００１５】
そこで、筒状ホルダー先端縁には複数の突起を間隔をあけかつ前方に突出して形成しておき、筒状ホルダーの先端縁とねじ込み対象との間にはスペースを形成し、ドライバー軸を押し込んでねじをねじ込み対象にねじ込んだときにねじの頭部による抜止め突片の前方への弾性変形を許容するとともに、ドライバー軸をねじ込まれたねじの頭部に向けて押し込んだときに抜止め突片が前方に弾性変形されてビットとねじの頭部との係合を許容するようになすのが好ましい。
【００１６】
ビットはねじの頭部と係合してその回転を規制するものであればよい。例えば、ビットには凹部を形成し、ねじの頭部をビットの凹部に嵌まり込む形状とすればよい。具体的にはビットは＋字状のクロスヘッドでもよく、−状のヘッドでもよく、又六角形状の凹部が形成されたヘッドでもよい。ねじの頭部は＋状の溝や−状の溝が形成されていてもよく、又六角形状であってもよい。
【図面の簡単な説明】
【００１７】
【図１】本考案に係るドライバー用ねじ保持具の好ましい実施形態を示す概略斜視図である。
【図２】上記実施形態を示す分解斜視図である。
【図３】上記実施形態におけるねじを保持した状態を示す断面図である。
【図４】上記実施形態においてねじを保持具にセットする状態を模式的に示す断面図である。
【図５】上記実施形態においてねじを対象にねじ込む状態を模式的に示す断面図である。
【図６】上記実施形態においてねじをビットから抜く状態を模式的に示す断面図である。
【図７】第２の実施形態を示す図である。
【考案を実施するための形態】
【００１８】
以下、本考案を図面に示す具体例に基づいて詳細に説明する。図１ないし図５は本考案に係るドライバー用ねじ保持具の好ましい実施形態を示す。図において、ドライバー軸１０は電動ドライバー（図示せず）に取付けられるように、六角軸状をなし、その先端部には大径のビット１０Ａが形成され、ビット１０Ａには六角形状の凹部１０Ｂが形成され、六角形状の凹部１０Ｂにはねじ２０の六角頭部２１が嵌まり込んで回転を規制されるようになっている。
【００１９】
ドライバー軸１０のビット１０Ａにはガイド筒１１が外嵌されている。このガイド筒１１は合成樹脂材料を用いてビット１０Ａの全体を覆う長さの円筒状に製作され、ガイド筒１１の後端部には突条部１１Ａが全周にわたって形成され、又ガイド筒１１の外側面にはコイルばね１３が外装されている。
【００２０】
ドライバー軸１０のビット１０Ａは筒状ホルダー１２に挿入されている。この筒状ホルダー１２は合成樹脂材料を用いて筒状に製作され、筒状ホルダー１２の外側面にはロッド状の突起１２Ｄが間隔あけかつ前方に突出して形成され、ドライバー軸１０のビット１０Ａは後端から筒状ホルダー１２内に挿入され、又筒状ホルダー１２には先端側からねじ２０の頭部２１が差し込まれるようになっている。
【００２１】
筒状ホルダー１２の先端の内縁には複数の抜止め突片１２Ａが中央に向けて延びて形成され、抜止め突片１２Ａは筒状ホルダー１２の先端から挿入されたねじ２０の頭部２１を十分な弾性をもって抜け止めする一方、ドライバー軸１０を後方に引っ張ったときにねじ２０の頭部２１が抜止め突片１２Ａを弾性変形させながらビット１０Ａから離脱できるようになっている。
【００２２】
また、筒状ホルダー１２の後端には抜止めキャップ１４が嵌められている。この抜止めキャップ１４は合成樹脂材料を用いて円環状に製作され、中央開口からドライバー軸１０が突出されるとともに、ビット１０Ａが抜止めキャップ１４に当接してドライバー軸を後方に抜け止めするようになっている。
【００２３】
また、抜止めキャップ１４の外周縁には複数の突片１４Ａが間隔をあけて形成され、該突片１４Ａには先端内面に係止爪が形成されている。他方、筒状ホルダー１２の後端縁には突起１２Ｂが間隔をあけて形成され、隣接する突起１２Ｂの間には抜止めキャップ１４の係止爪が係止される段部が形成されている。
【００２４】
ねじ２０を保持具にセットする場合、図４に示されるように、筒状ホルダー１２の先端側からねじ２０の頭部２１を差し込む。すると、ねじ２０の頭部２１が筒状ホルダー１２の抜止め突片１２Ａを内方に弾性変形させながら、ビット１０Ａの凹部１０Ｂに嵌まり込むが、このときビット１０Ａはコイルばね１３の付勢力によって筒状ホルダー１２内を後方に押されているので、ビット１０Ａと抜止め突片１２Ａの基部との間には十分な間隔があるので、ねじ２０の頭部２１がビット１０Ａの凹部１０Ｂに完全に嵌まり込むと、抜止め突片１２は図３に示されるように、元の位置に弾性復帰し、ねじ２０は確実に保持具に保持されることとなる。
【００２５】
こうしてねじ２０を保持具にセットできると、ドライバー軸１０を駆動しながらねじ２０を壁（ねじ込み対象）などに押し付けると、ねじ２０を所望の位置にかつ所望の方向に確実にねじ込むことができる。
【００２６】
ねじ２０のねじ込み最終段階になると、突起１２Ｄによって壁などとの間にスペースが形成されているので、ねじ２０の頭部２１が抜止め突片１２Ａを前方に弾性変形させながら壁などに完全にねじ込まれるので、抜止め突片１２Ａがねじ２０の頭部２１と壁などとの間に挟まれてしまうことはない。
【００２７】
また、ねじ２０を抜くときには保持具をねじ２０の頭部２１に位置合わせし、ドライバー軸１０のビット１０Ａを押し付けると、筒状ホルダー１２の先端縁と壁などとの間には突起１２Ｄによってスペースが形成されているので、図５に示されるように、筒状ホルダー１２の抜止め突片１２Ａを前方に弾性変形させながらドライバー軸１０のビット１０Ａをねじ２０の頭部２１に嵌め合わせることができ、ドライバー軸１０を逆回転させることによってねじ２０を壁などから抜くことができる。
【００２８】
図６は第２の実施形態を示し、図において図１ないし図５と同一符号は同一又は相当部分を示す。本例では図６の（ａ）（ｂ）に示されるように、ドライバー軸１０のビット１０Ａには半球状の凹部１０Ｂが形成され、凹部１０Ｂの底部にはクロスヘッドが形成されており、このクロスヘッドは図６の（ｃ）に示されるように頭部２１が半球状をなし＋状の溝が形成されたねじ２０の保持に使用されるようになっている。
【符号の説明】
【００２９】
１０      ドライバー軸
１０Ａ      ビット
１０Ｂ      凹部
１１      ガイド筒
１１Ａ      突起
１２      筒状ホルダー
１２Ａ      抜止め突片
１２Ｄ      突起
１３      コイルばね
１４      抜止めキャップ
２０      ねじ
２１      頭部
【図１】
0003190814.tif 000003
【図２】
0003190814.tif 000004
【図３】
0003190814.tif 000005
【図４】
0003190814.tif 000006
【図５】
0003190814.tif 000007
【図６】
0003190814.tif 000008
【図７】
0003190814.tif 000009